(57)【要約】【課題】記録媒体を画像再生装置から取り出し忘れたとき、他の使用者に記録媒体を取り出されてしまうのを防止できる画像表示装置を提供する。【解決手段】画像表示装置１は、電源オフ操作時（ステップＳ１０１）に、画像表示装置１の内部に記録媒体Ｍが入っていた場合（ステップＳ１０２：Ｙ）記録媒体の排出を促す警告メッセージを画面に表示し（ステップＳ１０３）、第１の時間（Ｔ１）内に警告メッセージに対する応答が入力されなければ、次回起動時に認証を行う認証フラグをセット（ステップＳ１０７）して、電源をオフ（ステップＳ１０８）する。【選択図】図３
2012154987.tif 000002
【特許請求の範囲】
【請求項１】
記録媒体に記録されている画像情報を読み出す読出部と、
前記読出部が読み出した前記画像情報に基づいて画像を表示する画像表示部と、
前記記録媒体が装置本体に装着されたことを検出する装着検出部と、
入力操作を受け付ける入力操作部と、
当該画像表示装置を使用するための認証を行う認証部と、
前記認証を行うか否かを設定する認証フラグを保存する不揮発性の記憶部と、
前記入力操作部が受け付けた前記入力操作に基づいて、当該画像表示装置の動作を制御する制御部と、を備えた画像表示装置であって、
前記制御部は、前記装着検出部が前記記録媒体の装着を検出している状態で電源オフ操作を検出したとき、前記記録媒体の排出を促す警告メッセージを前記画像表示部によって表示し、第１の時間内に前記警告メッセージに対する応答が前記入力操作部に入力されない場合に前記認証フラグをセットすることを特徴とする、画像表示装置。
【請求項２】
請求項１に記載の画像表示装置であって、
前記制御部は、当該画像表示装置の電源オフ後、第２の時間内に電源オン操作を検出した場合、前記認証フラグをクリアし、当該画像表示装置を起動することを特徴とする、画像表示装置。
【請求項３】
請求項１に記載の画像表示装置であって、
前記制御部は、当該画像表示装置の電源オフ後、第３の時間内に記録媒体取り出し操作を検出した場合、前記認証フラグをクリアし、前記記録媒体を排出することを特徴とする、画像表示装置。
【請求項４】
記録媒体に記録されている画像情報を読み出す読出部と、
前記読出部が読み出した画像情報に基づいて画像を表示する画像表示部と、
当該画像表示装置を使用するための認証を行うか否かを設定する認証フラグを記憶する不揮発性の記憶部と、を備えた画像表示装置の制御方法であって、
前記記録媒体が装置本体に装着されたことを検出する装着検出ステップと、
前記読出部から読み出した前記画像情報に基づいて前記画像表示部に画像を表示する画像表示ステップと、
入力操作を受け付ける入力操作ステップと、
ユーザー認証を行う認証ステップと、
前記入力操作ステップが受け付けた前記入力操作に基づいて、当該画像表示装置の動作を制御する制御ステップと、
前記装着検出ステップが前記記録媒体の装着を検出している状態で、電源オフ操作を検出したとき、前記記録媒体の排出を促す警告メッセージを前記画像表示部によって表示し、第１の時間内に前記警告メッセージに対する応答が前記入力操作ステップに入力されない場合に前記認証フラグをセットする、排出警告ステップと、を備えたことを特徴とする、画像表示装置の制御方法。
【発明の詳細な説明】
【技術分野】
【０００１】
本発明は、記録媒体に記録されている画像情報を読み出す読出部を備えた画像表示装置と、その制御方法に関する。
【背景技術】
【０００２】
画像を表示する画像表示装置（例えば、プロジェクター）において、ＤＶＤ（Ｄｉｇｉｔａｌ  Ｖｅｒｓａｔｉｌｅ  Ｄｉｓｃ）等の記録媒体に記録されている画像情報を再生するための画像再生手段を一体的に備えたものが知られている（特許文献１）。このような画像表示装置を用いれば、外部の画像再生装置を接続する必要なく、記録媒体に記録されている画像情報に基づく画像を容易に鑑賞することができる。
【先行技術文献】
【特許文献】
【０００３】
【特許文献１】特開２００５−９９６１７号公報
【発明の概要】
【発明が解決しようとする課題】
【０００４】
画像表示装置を使用終了後、再生したＤＶＤメディアなどの記録媒体を取り出さなかった場合、次に使用するユーザーにより、画像表示装置内の記録媒体が取り出され、紛失するおそれがあった。
【課題を解決するための手段】
【０００５】
本発明は、上述の課題の少なくとも一部を解決するためになされたものであり、以下の形態または適用例として実現することが可能である。
【０００６】
［適用例１］本適用例に係る画像表示装置は、記録媒体に記録されている画像情報を読み出す読出部と、前記読出部が読み出した前記画像情報に基づいて画像を表示する画像表示部と、前記記録媒体が装置本体に装着されたことを検出する装着検出部と、入力操作を受け付ける入力操作部と、当該画像表示装置を使用するための認証を行う認証部と、前記認証を行うか否かを設定する認証フラグを保存する不揮発性の記憶部と、前記入力操作部が受け付けた前記入力操作に基づいて、当該画像表示装置の動作を制御する制御部と、を備えた画像表示装置であって、前記制御部は、前記装着検出部が前記記録媒体の装着を検出している状態で電源オフ操作を検出したとき、前記記録媒体の排出を促す警告メッセージを前記画像表示部によって表示し、第１の時間内に前記警告メッセージに対する応答が前記入力操作部に入力されない場合に前記認証フラグをセットすることを特徴とする。
【０００７】
本適用例によれば、画像表示装置の電源オフ操作時、ＤＶＤメディアなどの記録媒体が入っていた場合に警告メッセージを画面に表示し、所定時間内に応答がなければ、次回起動時に認証を行う認証フラグをセットする。これにより、記録媒体を取り出すのを忘れたまま電源をオフした場合、他のユーザーに記録媒体を取り出されてしまうのを防止することが可能となる。
【０００８】
［適用例２］上記適用例に記載の画像表示装置において、前記制御部は、当該画像表示装置の電源オフ後、第２の時間内に電源オン操作を検出した場合、前記認証フラグをクリアし、当該画像再生装置を起動することを特徴とする。
【０００９】
本適用例によれば、画像表示装置に記録媒体が入っている状態で電源オフした後、所定時間内に電源オン操作をすれば認証を行わずに起動する。これにより、記録媒体を取り出すのを忘れたまま電源をオフした場合でも、すぐに気がついて電源オンすれば認証を省略して起動できるので、使い勝手を向上させることが可能になる。
【００１０】
［適用例３］上記適用例に記載の画像表示装置において、前記制御部は、当該画像表示装置の電源オフ後、第３の時間内に記録媒体取り出し操作を検出した場合、前記認証フラグをクリアし、前記記録媒体を排出することを特徴とする。
【００１１】
本適用例によれば、画像表示装置に記録媒体が入っている状態で電源オフした後、所定時間内に記録媒体取り出し操作をすれば、認証を行わずに記録媒体が排出され、次回起動時にも認証を行わない。これにより、記録媒体を取り出すのを忘れたまま電源をオフした場合でも、すぐに気がついて記録媒体取り出し操作をすれば認証を省略して記録媒体を取り出せて、更に次回起動時も認証を行わないので使い勝手を向上させることが可能になる。
【００１２】
［適用例４］本適用例に係る画像表示装置の制御方法は、記録媒体に記録されている画像情報を読み出す読出部と、前記読出部が読み出した画像情報に基づいて画像を表示する画像表示部と、当該画像表示装置を使用するための認証を行うか否かを設定する認証フラグを記憶する不揮発性の記憶部と、を備えた画像表示装置の制御方法であって、前記記録媒体が装置本体に装着されたことを検出する装着検出ステップと、前記読出部から読み出した前記画像情報に基づいて前記画像表示部に画像を表示する画像表示ステップと、入力操作を受け付ける入力操作ステップと、ユーザー認証を行う認証ステップと、前記入力操作ステップが受け付けた前記入力操作に基づいて、当該画像表示装置の動作を制御する制御ステップと、前記装着検出ステップが前記記録媒体の装着を検出している状態で、電源オフ操作を検出したとき、前記記録媒体の排出を促す警告メッセージを前記画像表示部によって表示し、第１の時間内に前記警告メッセージに対する応答が前記入力操作ステップに入力されない場合に前記認証フラグをセットする、排出警告ステップと、を備えたことを特徴とする。
【００１３】
本適用例によれば、画像表示装置の電源オフ操作時、記録媒体が入っていた場合に警告メッセージを画面に表示し、所定時間内に応答がなかった場合、次回起動時に認証を行う認証フラグをセットする。これにより、記録媒体を取り出すのを忘れたまま電源をオフした場合、他のユーザーに記録媒体を取り出されてしまうのを防止することが可能となる。
【図面の簡単な説明】
【００１４】
【図１】プロジェクターの斜視図。
【図２】プロジェクターの概略構成を示すブロック図。
【図３】プロジェクターの電源オフ時の動作を示すフローチャート。
【図４】プロジェクターの電源オン時の動作を示すフローチャート。
【図５】変形例１のプロジェクターの動作を示すフローチャート。
【図６】変形例２のプロジェクターの動作を示すフローチャート。
【図７】プロジェクターの電源オフ時の警告メッセージを示す図。
【図８】プロジェクターの電源オン時の警告メッセージを示す図。
【発明を実施するための形態】
【００１５】
以下、図面を参照して本発明の一実施形態であるプロジェクターについて説明するが、以下の実施形態は特許請求の範囲にかかる発明を限定するものではなく、また、実施形態における特徴の組み合わせの全てが発明の解決手段に必須であるとは限らない。
【００１６】
（第１実施形態）
図１は、本実施形態のプロジェクターの斜視図である。
図１に示すように、プロジェクター１は、外装を構成する筐体２によって装置本体が覆われた構成を有している。筐体２の前面２ｆには、外部のスクリーンＳＣ（図２参照）等に画像（画像光）を投写する投写レンズ１３が露出しており、投写レンズ１３の下側には、記録媒体であるＤＶＤメディアを挿入するためのディスクスロット３が設けられている。また、筐体２の前面２ｆには、リモートコントローラー（リモコン、またはＲＣとも称する）２３から送信される操作信号を受信するための操作信号受信部２４が配置されている。
【００１７】
筐体２には、複数の操作キー（操作ボタン）を備えて構成される本体操作部２２が設けられており、プロジェクター１に対して各種指示を行うことが可能になっている。本体操作部２２を構成する複数の操作キーのうち、ディスクスロット３からＤＶＤメディアを排出するための操作キー（イジェクトキー）は、筐体２の前面２ｆ（ディスクスロット３の近傍）に配置されており、それ以外の操作キーは、筐体２の上面２ｔに配置されている。また、リモコン２３にも、本体操作部２２と同様、プロジェクター１に対して各種指示を行うための複数の操作キーが備えられており、プロジェクター１を遠隔操作することが可能になっている。
【００１８】
図２は、本実施形態のプロジェクターの回路構成を示すブロック図である。
図２に示すように、プロジェクター１は、画像表示部としての画像投写部１０、制御部２０、記憶部２１、光源制御部３７、入力操作部としての本体操作部２２、操作信号受信部２４、入力端子２５、入力選択部３３、ＤＶＤ再生部２７、画像処理部３４、ＯＳＤ処理部３５、電源部３６、計時部４０、電源端子４等で構成されており、これらは筐体２の内部に収容されている。
【００１９】
画像投写部１０は、光源１１、光変調装置としての３つの液晶ライトバルブ１２Ｒ、１２Ｇ、１２Ｂ、投写光学系としての投写レンズ１３、液晶駆動部１４等を含んでいる。画像投写部１０は、画像表示部に相当するものであり、光源１１から射出された光を、液晶ライトバルブ１２Ｒ、１２Ｇ、１２Ｂで変調して画像光を形成し、この画像光を投写レンズ１３から投写することによってスクリーンＳＣ等に画像を表示する。
【００２０】
光源１１は、超高圧水銀ランプやメタルハライドランプ等からなる放電型の光源ランプ１１ａと、光源ランプ１１ａが放射した光を液晶ライトバルブ１２Ｒ、１２Ｇ、１２Ｂ側に反射するリフレクター１１ｂとを含んで構成されている。光源１１から射出された光は、図示しないインテグレーター光学系によって輝度分布が略均一な光に変換され、図示しない色分離光学系によって光の３原色である赤色（Ｒ）、緑色（Ｇ）、青色（Ｂ）の各色光成分に分離された後、それぞれ液晶ライトバルブ１２Ｒ、１２Ｇ、１２Ｂに入射する。
【００２１】
液晶ライトバルブ１２Ｒ、１２Ｇ、１２Ｂは、一対の透明基板間に液晶が封入された液晶パネル等によって構成される。液晶ライトバルブ１２Ｒ，１２Ｇ，１２Ｂには、マトリックス状に配列された複数の画素（図示せず）が形成されており、液晶に対して画素毎に駆動電圧を印加可能になっている。
液晶駆動部１４が、入力される画像情報に応じた駆動電圧を各画素に印加すると、各画素は、画像情報に応じた光透過率に設定される。このため、光源１１から射出された光は、この液晶ライトバルブ１２Ｒ、１２Ｇ、１２Ｂを透過することによって変調され、画像情報に応じた画像光が色光毎に形成される。
形成された各色の画像光は、図示しない色合成光学系によって画素毎に合成されてカラーの画像光となった後、投写レンズ１３によってスクリーンＳＣ等に拡大投写される。
【００２２】
上記実施形態では、光源としてランプを用いて投射するプロジェクター１を例示したが、本発明は、光源としてＬＥＤ（Light emitting diode）光源やレーザー光源などを用いて投写するプロジェクターにも適用することができる。なお、上記実施形態では、画像投写部１０は、光源１１、光変調装置としての３つの液晶ライトバルブ１２Ｒ、１２Ｇ、１２Ｂを用いた透過型液晶方式の投写光学系を例示したが、表示原理については、反射型液晶表示方式やマイクロミラーデバイス方式（ライトスイッチ表示方式）など、他の表示方式を採用しても良い。
【００２３】
制御部２０は、図示しないＣＰＵ（Central Processing Unit）や、各種データ等の一時記憶に用いられる図示しないＲＡＭ（Random Access Memory）等を備え、記憶部２１に記憶されている制御プログラム（図示せず）に従って動作することによりプロジェクター１の動作を統括制御する。つまり、制御部２０は、記憶部２１とともにコンピューターとして機能する。
【００２４】
計時部４０はリアルタイムクロック等で構成される時間計測部であり、バックアップ電源（図示せず）により、電源オフ時でも計時動作を行う。
【００２５】
記憶部２１は、フラッシュメモリーやＦｅＲＡＭ（Ferroelectric RAM：強誘電体メモリー）等の書き換え可能な不揮発性のメモリーにより構成されている。記憶部２１には、プロジェクター１の動作を制御するための制御プログラムや、プロジェクター１の動作条件等を規定する各種設定データ等が記憶されている。
本実施形態では、電源オン時に認証を行うか否かを設定する認証フラグ２１ａが記憶される。認証フラグ２１ａがセット（ＯＮ）されている場合、電源オン時に暗証番号入力などの認証を行う。認証フラグ２１ａがクリア（ＯＦＦ）されている場合、電源オン時に認証を行わない。なお、このようなプロジェクター１を使用するための認証を行う認証部（図示せず）は、制御部２０に備えられている。
【００２６】
本体操作部２２、及びリモコン２３は、上述したように複数の操作キーを備えており、ユーザーからの入力操作（操作キーの操作）を受け付ける入力操作部に相当するものである。
複数の操作キーには、上述したイジェクトキーの他に、電源のオンとオフとを切り替えるための電源キーや、ＤＶＤメディアＭの再生を開始させるための再生キー、ＤＶＤメディアＭの再生を停止させるための停止キー、画像情報の入力元（入力ソース）を切り替えるための入力切替キー等が含まれ、これらは、本体操作部２２、及びリモコン２３の双方に備えられている。
また、設定メニュー等を重畳表示させるためのメニューキー、設定メニュー等で項目の選択に用いられる方向キー（上下左右に対応する４つの操作キー）、選択された項目を確定させる決定キー、動作の取り消し等を行うための取消キー、暗証番号を入力するための数字キー（０〜９に対応する１０個の操作キー）等は、リモコン２３にのみ備えられている。
【００２７】
ユーザーが本体操作部２２の各種操作キーを操作すると、本体操作部２２は、ユーザーの操作内容（操作された操作キー）に応じた操作信号を制御部２０に出力する。また、ユーザーがリモコン２３の各種操作キーを操作すると、リモコン２３は、ユーザーの操作内容に応じた赤外線の操作信号を発し、操作信号受信部２４がこれを受信して制御部２０に伝達する。
【００２８】
入力端子２５には、パーソナルコンピューターやビデオ再生装置等、外部の画像出力装置から、各種形式の画像情報がケーブル（図示せず）を介して入力される。入力端子２５に入力された画像情報は、入力選択部３３に供給される。
【００２９】
入力選択部３３は、入力端子２５から入力される画像情報（外部入力画像情報）と、ＤＶＤ再生部２７から入力される画像情報（ＤＶＤ画像情報）のいずれか一方を、制御部２０の指示に基づいて選択し、選択した画像情報を画像処理部３４に出力する。ユーザーが、本体操作部２２、或いはリモコン２３に備わる入力切替キーを操作して所望の画像情報を指定すると、制御部２０は、指定された画像情報が画像処理部３４に出力されるよう、入力選択部３３に指示をする。
つまり、入力選択部３３は、外部入力画像情報に基づく画像（外部入力画像）を投写（表示）する状態と、ＤＶＤ再生部２７によって再生されたＤＶＤ画像情報に基づく画像（ＤＶＤ画像）を投写（表示）する状態とを、ユーザーの入力操作に応じて切り替えることができる。
【００３０】
ＤＶＤ再生部２７は、記録媒体としてのＤＶＤメディアＭに記録された画像情報を再生するものであり、挿入センサー２７１、メディア搬送部２７２、装着検出部としての装着センサー２７３、読出部としてのデータ読取部２７４、データ処理部２７５等を含んで構成されている。
【００３１】
挿入センサー２７１は、画像表示装置内部のディスクスロット３の近傍に配置され、ＤＶＤメディアＭの一部がディスクスロット３に挿入されたことを検出して制御部２０に通知する。
【００３２】
メディア搬送部２７２は、ＤＶＤメディアＭを搬送するための搬送ローラー、及び搬送ローラーを回転駆動する駆動モーター（いずれも図示せず）等によって構成され、制御部２０の指示に基づいて、ＤＶＤ再生部２７内におけるＤＶＤメディアＭの搬送を行う。
具体的には、ユーザーがＤＶＤメディアＭの一部をディスクスロット３に挿入し、挿入センサー２７１がこの挿入を検出すると、制御部２０は、メディア搬送部２７２に指示をして、ＤＶＤメディアＭを内部に引き込んでターンテーブル（図示せず）上に装着させる。
また、ユーザーによりイジェクトキーが操作されると、制御部２０は、メディア搬送部２７２に指示をして、ターンテーブルからＤＶＤメディアＭを離脱させ、ＤＶＤメディアＭをディスクスロット３から排出させる。
【００３３】
装着センサー２７３は、ターンテーブルの近傍に配置され、ターンテーブルにＤＶＤメディアＭが装着されていることを検出して制御部２０に通知する。
【００３４】
データ読取部２７４は、制御部２０の指示に基づいて、ターンテーブル上に装着されたＤＶＤメディアＭをスピンドルモーター（図示せず）で回転させるとともに、光ピックアップ（図示せず）を走査して、ＤＶＤメディアＭに記録されているデータストリームを順次読み取る。このデータストリームは、符号化された画像情報や音声情報が多重化された情報であり、データ読取部２７４によって読み取られたデータストリームは、データ処理部２７５に順次出力される。
【００３５】
データ処理部２７５は、デマルチプレクサーやデコーダー等で構成され、制御部２０の指示に基づいて、データ読取部２７４から入力されるデータストリームを画像情報と音声情報とに分離する処理や、分離した画像情報及び音声情報をデコード（復号化）する処理等を行う。
データ処理部２７５は、復号化された画像情報を入力選択部３３に出力し、復号化された音声情報を図示しない音声出力手段に出力する。なお、ＤＶＤ再生部２７が、ＤＶＤメディアＭからデータストリームを読み取って、このデータストリームに基づく画像情報を出力することを、本明細書では「画像情報を再生する」又は「ＤＶＤを再生する」と表記する。
【００３６】
制御部２０は、本体操作部２２又はリモコン２３が再生キーの操作を受け付けると、ＤＶＤ再生部２７に指示をして、画像情報の再生を開始させ、本体操作部２２又はリモコン２３が停止キーの操作を受け付けると、ＤＶＤ再生部２７に指示をして、画像情報の再生を停止させる。
【００３７】
挿入センサー２７１、及び装着センサー２７３は、例えば、メカニカルスイッチ、光センサー、磁気センサー等の各種検出手段を用いて構成することができる。また、装着センサー２７３に関しては、上記光ピックアップが受光する反射光の信号レベルによってＤＶＤメディアＭの装着の有無を検出する態様とすることも可能である。
【００３８】
画像処理部３４は、入力選択部３３から入力される画像情報を、液晶ライトバルブ１２Ｒ、１２Ｇ、１２Ｂの各画素の階調を表す画像情報、即ち各画素に印加する駆動電圧を規定するための画像情報に変換する。さらに、画像処理部３４は、制御部２０の指示に基づいて、変換した画像情報に対して、明るさ、コントラスト、シャープネス、色合い等を調整するための画質調整処理等を行う。画像処理部３４で画質調整等がなされた画像情報は、ＯＳＤ処理部３５に出力される。
【００３９】
ＯＳＤ処理部３５は、制御部２０の指示に基づいて、投写画像（外部入力画像又はＤＶＤ画像）上に、メニュー画像やメッセージ画像等のＯＳＤ（オンスクリーンディスプレイ）画像を重畳して表示するための処理を行う。ＯＳＤ処理部３５は、図示しないＯＳＤメモリーを備えており、ＯＳＤ画像を形成するための図形やフォント等を表すＯＳＤ画像情報を記憶している。
制御部２０が、ＯＳＤ画像の重畳表示を指示すると、ＯＳＤ処理部３５は、必要なＯＳＤ画像情報をＯＳＤメモリーから読み出し、投写画像上の所定の位置にＯＳＤ画像が重畳されるように、画像処理部３４から入力される画像情報にこのＯＳＤ画像情報を合成する。ＯＳＤ画像情報が合成された画像情報は、液晶駆動部１４に出力される。
なお、制御部２０からＯＳＤ画像を重畳する旨の指示がない場合には、ＯＳＤ処理部３５は、画像処理部３４から入力される画像情報を、そのまま液晶駆動部１４に出力する。
【００４０】
液晶駆動部１４は本実施形態における画像形成部であり、画像処理部３４から入力される画像情報に従って液晶ライトバルブ１２Ｒ、１２Ｇ、１２Ｂを駆動すると、液晶ライトバルブ１２Ｒ、１２Ｇ、１２Ｂは、画像情報に応じた画像を形成し、この画像が投写レンズ１３から投写される。
【００４１】
電源部３６には、ＡＣ１００Ｖ等の商用電源が電源端子４を介して外部から供給される。電源部３６は、商用電源（交流電源）を所定の電圧の直流電源に変換して、プロジェクター１の各部に電力を供給する。また、電源部３６は、制御部２０の指示に基づいて、画像の投写に必要な電力（動作電力）を各部に供給する状態（電源オン状態）と、動作電力の供給を停止して、電源をオンにするための操作を待機する状態（スタンバイ状態）とを切り替えることができる。
【００４２】
光源制御部３７は、制御部２０の指示に基づいて、光源１１に対する電力の供給と停止とを制御し、光源１１の点灯、及び消灯を切り替える。
【００４３】
本実施形態のプロジェクター１は、上記のように構成されているため、電源端子４に電源ケーブル（図示せず）が接続され、電源部３６に商用電源が供給されると、電源部３６は、少なくとも制御部２０、記憶部２１、本体操作部２２、及び操作信号受信部２４に電力（スタンバイ電力）の供給を行い、制御部２０は、この電力供給を受けて、制御プログラムに従った動作を開始する。
商用電源が供給された直後には、プロジェクター１は、スタンバイ状態（「電源オフ状態」ともいう。）であり、光源１１を消灯させた状態を維持している。そして、本体操作部２２又はリモコン２３に備わる電源キーがユーザーにより操作されると、制御部２０は、電源部３６に指示をして、各部への動作電力の供給を開始させ、プロジェクター１を電源オン状態に移行させる。
【００４４】
プロジェクター１が電源オン状態に移行すると、制御部２０は、光源制御部３７に指示をして光源１１を点灯させる。そして、ユーザーが画像出力装置とプロジェクター１（入力端子２５）を接続して、画像出力装置からの画像情報の出力を開始させると、入力端子２５に外部入力画像情報が入力される。
そして、ユーザーが必要に応じて入力切替キーを操作して外部入力画像情報を指定すると、画像投写部１０から外部入力画像が投写される。一方、ユーザーがＤＶＤメディアＭをディスクスロット３に挿入すると、ＤＶＤ再生部２７は、ＤＶＤ画像情報の再生を開始し、画像投写部１０からＤＶＤ画像が投写される。また、ＤＶＤ画像情報の再生が行われている状態で停止キーが操作されると、ＤＶＤ再生部２７は、ＤＶＤ画像情報の再生を停止する。
【００４５】
次に、本実施形態のプロジェクター１の動作を図３および図４のフローチャートを用いて説明する。
（電源オフ操作時）
図３に示すように、まずプロジェクター１が本体操作部２２またはリモコン２３より電源オフ操作信号を検出すると（ステップＳ１０１）、制御部２０はＤＶＤメディアＭがＤＶＤ再生部２７に装着されているか否かを調べる（ステップＳ１０２）。ＤＶＤメディアＭがＤＶＤ再生部２７に装着されていた場合（ステップＳ１０２：Ｙ）、ステップＳ１０３に移行する。一方、ＤＶＤメディアＭがＤＶＤ再生部２７に装着されていなかった場合（ステップＳ１０２：Ｎ）、ステップＳ１０８に移行する。
【００４６】
ステップＳ１０３において制御部２０は、ＤＶＤ再生部２７内にＤＶＤメディアＭが残っている旨の警告メッセージを画像投写部１０に投写させる。このときの警告メッセージを図７に示す。
次に制御部２０は計時部４０による計時を開始（タイマースタート）する（ステップＳ１０４）。
【００４７】
ステップＳ１０５において制御部２０は、本体操作部２２またはリモコン２３のイジェクトキーが操作されたことによるＤＶＤメディアＭの取り出し操作信号を検出したか否かを調べる。ＤＶＤメディアＭの取り出し操作信号を受信した場合（ステップＳ１０５：Ｙ）はステップＳ１０９において、ＤＶＤメディアＭを排出し、ステップＳ１０８に移行する。一方、ＤＶＤメディアＭの取り出し操作信号を受信していない場合（ステップＳ１０５：Ｎ）はステップＳ１０６に移行する。
【００４８】
ステップＳ１０６において制御部２０は、計時部４０の計時が時間Ｔ１を経過したか調べる。時間Ｔ１を経過した場合（ステップＳ１０６：Ｙ）、ステップＳ１０７において、認証フラグをセット（ＯＮ）し、ステップＳ１０８に移行する。一方、計時部４０が時間Ｔ１を経過していなかった場合（ステップＳ１０６：Ｎ）、ステップＳ１０５に移行する。
【００４９】
ステップＳ１０８において制御部２０は、光源制御部３７により光源１１（ランプ）を消灯し、更に、電源部３６により電源をオフし、本フローを終了する。
【００５０】
（電源オン操作時）
図４に示すように、まずプロジェクター１が本体操作部２２またはリモコン２３より電源オン操作信号を検出すると（ステップＳ２０１）、制御部２０は、光源制御部３７により光源１１（ランプ）を点灯し（ステップＳ２０２）、ステップＳ２０３に移行する。
【００５１】
ステップＳ２０３において制御部２０は、認証フラグ２１ａがセット（ＯＮ）されているか否かを調べる。認証フラグ２１ａがセットされている場合（ステップＳ２０３：Ｙ）、ステップＳ２０４に移行する。一方、認証フラグ２１ａがセットされていない場合（ステップＳ２０３：Ｎ）、ステップＳ２０７に移行する。
【００５２】
ステップＳ２０４において制御部２０は、暗証番号認証メッセージを表示し、認証を行う。このときのメッセージを図８に示す。
次に制御部２０はステップＳ２０５に移行する。
【００５３】
ステップＳ２０５において制御部２０は、ステップＳ２０４での暗証番号が認証されたか（ＯＫ）否かを調べる。暗証番号が認証された場合（ステップＳ２０５：Ｙ）、ステップＳ２０６に移行する。暗証番号が認証されなかった場合（ステップＳ２０５：Ｎ）、ステップＳ２０８に移行する。
【００５４】
ステップＳ２０６において制御部２０は、認証フラグ２１ａをクリア（ＯＦＦ）し、ステップＳ２０７に移行する。
【００５５】
ステップＳ２０７において制御部２０は、プロジェクター１の投写を開始し、本フローを終了する。
【００５６】
ステップＳ２０８において制御部２０は、画像投写部１０に所定時間警告画面を投写した後、光源制御部３７により光源１１を消灯し、更に、電源部３６により電源をオフし（ステップＳ２０９）、本フローを終了する。
【００５７】
以上説明したように、本実施形態のプロジェクター１によれば、電源オフ操作時、ＤＶＤメディアＭがプロジェクター１の内部に入っていた場合、警告画面を表示し、応答がなければ次回起動時に認証を行うので、ＤＶＤメディアＭを取り出すのを忘れたまま電源をオフした場合、他のユーザーにＤＶＤメディアＭを取り出されてしまうのを防止することが可能となる。
【００５８】
また、上記実施形態は、以下のように変更してもよい。
（変形例１）
上述した実施形態において、電源オフ後、第２の時間内に電源オン操作を検出した場合に認証フラグ２１ａをクリアし、起動するようにしてもよい。
【００５９】
本変形例のプロジェクター１の動作を図５のフローチャートを用いて説明する。なお、電源オフまでの動作は図３と同じなので説明は省略する。
図５に示すように、プロジェクター１が電源オフ後、制御部２０は計時部４０による計時を開始（タイマースタート）し（ステップＳ３０１）、ステップＳ３０２に移行する。
【００６０】
ステップＳ３０２において制御部２０は、本体操作部２２またはリモコン２３より電源オン操作信号を検出したか否かを調べる。電源オン操作信号を検出した場合（ステップＳ３０２：Ｙ）、認証フラグ２１ａをクリア（ＯＦＦ）し（ステップＳ３０３）、光源制御部３７により光源１１（ランプ）を点灯し（ステップＳ３０４）、投写を開始し（ステップＳ３０５）、本フローを終了する。
一方、電源オン操作信号を検出していない場合（ステップＳ３０２：Ｎ）、ステップＳ３０６に移行する。
【００６１】
ステップＳ３０６において制御部２０は、計時部４０の計時が時間Ｔ２を経過したか否かを調べる。計時部４０が時間Ｔ２を経過した場合（ステップＳ３０６：Ｙ）、ステップＳ３０７に移行する。一方、計時部４０が時間Ｔ２を経過していない場合（ステップＳ３０６：Ｎ）、ステップＳ３０２に移行する。
【００６２】
ステップＳ３０７において制御部２０は計時部４０による計時を停止し、本フローを終了する。
【００６３】
以上説明したように、本変形例のプロジェクター１によれば、内部にＤＶＤメディアＭが入っている状態で電源オフした後、所定時間内に電源オン操作をすれば認証を行わずに起動する。これにより、ＤＶＤメディアＭを取り出すのを忘れたまま電源をオフした場合でも、すぐに気がついて電源オンすれば認証を省略して起動できるので、使い勝手を向上させることが可能になる。
【００６４】
（変形例２）
上述した実施形態において、電源オフ後、第３の時間内にＤＶＤメディアの取り出し操作を検出した場合に認証フラグ２１ａをクリアし、ＤＶＤメディアＭを排出するようにしてもよい。
【００６５】
本変形例のプロジェクター１の動作を図６のフローチャートを用いて説明する。なお、電源オフまでの動作は図３と同じなので説明は省略する。
図６に示すように、プロジェクター１が電源オフ後、制御部２０は計時部４０による計時を開始（タイマースタート）し（ステップＳ４０１）、ステップＳ４０２に移行する。
【００６６】
ステップＳ４０２において制御部２０は、本体操作部２２またはリモコン２３のイジェクトキーが操作されたことによるＤＶＤメディアＭの取り出し操作信号を検出したか否かを調べる。ＤＶＤメディアＭの取り出し操作信号を検出した場合（ステップＳ４０２：Ｙ）、認証フラグ２１ａをクリア（ＯＦＦ）し（ステップＳ４０３）、ＤＶＤメディアＭを排出（取り出し）し（ステップＳ４０４）、ステップＳ４０６に移行する。一方、ＤＶＤメディアＭの取り出し操作信号を検出していない場合（ステップＳ４０２：Ｎ）、ステップＳ４０５に移行する。
【００６７】
ステップＳ４０５において制御部２０は、計時部４０の計時が時間Ｔ３を経過したか否かを調べる。計時部４０が時間Ｔ３を経過した場合（ステップＳ４０５：Ｙ）、ステップＳ４０６に移行する。計時部４０が時間Ｔ３を経過していない場合（ステップＳ４０５：Ｎ）、ステップＳ４０２に移行する。
【００６８】
ステップＳ４０６において制御部２０は、計時部４０による計時（タイマー）を停止し、本フローを終了する。
【００６９】
以上説明したように、本変形例のプロジェクター１によれば、内部にＤＶＤメディアＭが入っている状態で電源オフした後、所定時間内にＤＶＤの取り出し操作をすれば、ＤＶＤメディアＭが排出され、次回起動時にも認証を行わない。これにより、ＤＶＤメディアＭを取り出すのを忘れたまま電源をオフした場合でも、すぐに気がついてＤＶＤメディアＭの取り出し操作をすればＤＶＤメディアＭを取り出せて、次回起動時も認証を行わないので使い勝手を向上させることが可能になる。
【００７０】
（変形例３）
上述した実施形態、及び変形例ではＤＶＤ（Ｄｉｇｉｔａｌ  Ｖａｒｓａｔｉｌｅ  Ｄｉｓｃ）メディアＭについて説明したが、これに限るものでなく、例えばＢｌｕ−ｒａｙ（登録商標）ディスク、コンパクトディスクなどのように、画像再生装置本体内に挿入するものであればよい。
【符号の説明】
【００７１】
１…プロジェクター、２…筐体、３…ディスクスロット、４…電源端子、１０…画像投写部、１１…光源、１２Ｒ，１２Ｇ，１２Ｂ…液晶ライトバルブ、１３…投写レンズ、１４…液晶駆動部、２０…制御部、２１…記憶部、２１ａ…認証フラグ２２…本体操作部、２３…リモートコントローラー（リモコン，ＲＣ）、２４…操作信号受信部、２５…入力端子、２７…ＤＶＤ再生部、３３…入力選択部、３４…画像処理部、３５…ＯＳＤ処理部、３６…電源部、３７…光源制御部、４０…計時部、２７１…挿入センサー、２７２…メディア搬送部、２７３…装着センサー、２７４…データ読取部、２７５…データ処理部。
【図１】
2012154987.tif 000003
【図２】
2012154987.tif 000004
【図３】
2012154987.tif 000005
【図４】
2012154987.tif 000006
【図５】
2012154987.tif 000007
【図６】
2012154987.tif 000008
【図７】
2012154987.tif 000009
【図８】
2012154987.tif 000010